(57)【要約】【課題】回収コンベアの修理後、回収コンベアを始動を円滑に行なうと共に、回収コンベアの耐久性を高める。【解決手段】ストッパ６０を第１の位置から第２の位置に揺動させる。これにより、フラッパ２５は開放位置から閉塞位置に移動することで排出口３０Ｂからの遊技媒体の排出が不能な状態となる。各台計数機８から排出された遊技媒体は、第２の傾斜状態となっている本体板部２５０２により、遊技媒体溜め部５６側に向けて案内され、遊技媒体溜め部５６内に溜め込まれ、回収コンベア１６への遊技媒体の排出は停止される。シャッター２８を閉塞位置から開放位置に移動させると、遊技媒体溜め部５６に溜め込まれた遊技媒体は、傾斜壁５６０２により排出用開口２２側に案内され、排出用開口２２から自重により落下し、着脱式シュート６６を介して移動式タンク５２に排出される。【選択図】図１６
2015226619.tif 000002
【特許請求の範囲】
【請求項１】
遊技媒体使用機器と回収コンベアとの間に配置された回収受け皿を備え、
前記回収受け皿は、前記遊技媒体使用機器から排出された遊技媒体を受け入れる胴部を有し、
前記胴部は、前記胴部内の遊技媒体を前記回収コンベアに排出する排出口を有する遊技媒体回収機構であって、
前記排出口からの遊技媒体の排出を可能とする開放位置と前記排出口からの遊技媒体の排出を不能とする閉塞位置との間で移動されるフラッパと、
前記胴部に設けられ前記閉塞位置に位置する前記フラッパにより前記胴部内に溜められた遊技媒体の排出を可能とした排出用開口と、
前記排出用開口を開閉するシャッターと、
を備えることを特徴とする遊技媒体回収機構。
【請求項２】
前記胴部は、前記フラッパの開放位置で前記フラッパの上方に位置するフラッパ上空間部と、前記フラッパ上空間部の下方に位置し前記フラッパの開放位置で前記フラッパにより前記フラッパ上空間部と遮断され、前記フラッパの前記閉塞位置で前記フラッパ上空間部に連通する遊技媒体溜め部とを有している、
ことを特徴とする請求項１記載の遊技媒体回収機構。
【請求項３】
前記遊技媒体溜め部は、前記排出口の下方に位置する前記回収コンベア部分の長手方向と直交する方向で前記排出口よりも前記回収コンベア部分から離れた箇所に位置している、
ことを特徴とする請求項２記載の遊技媒体回収機構。
【請求項４】
前記フラッパは、前記回収コンベア部分の長手方向と平行する軸を支点として揺動する本体板部を備え、
前記本体板部は、前記開放位置で、前記フラッパ上空間部と前記遊技媒体溜め部とを遮断すると共に前記排出口を前記フラッパ上空間部に連通させ、前記排出口と離れた側の端部から前記排出口側の端部に至るにつれて次第に下方に変位するように傾斜する第１の傾斜状態となり、
前記本体板部は、前記閉塞位置で、前記排出口の上方に位置して前記排出口を閉塞すると共に前記フラッパ上空間部と前記遊技媒体溜め部とを連通させ、前記排出口側の端部から前記排出口と離れた側の端部に至るにつれて次第に下方に変位するように傾斜する第２の傾斜状態となる、
ことを特徴とする請求項３記載の遊技媒体回収機構。
【請求項５】
前記胴部は、前記回収コンベア部分の長手方向と直交する方向で互いに対向し前記排出口側に位置する後壁と前記排出口と離れた側に位置する前壁と、前記回収コンベア部分の長手方向と直交する方向で前記後壁と前記前壁との間の箇所に位置する当接壁部を有し、
前記前壁に、前記胴部内に出没可能で前記胴部内に突出する方向に付勢されたストッパが設けられ、
前記本体板部は、前記回収コンベア部分の長手方向と直交する方向の長さを有し、
前記第１の傾斜状態は、前記排出口側に位置する前記本体板部の箇所が前記当接壁部に当接すると共に前記排出口と離れた前記前記本体板部の端部が前記ストッパに当接することで形成され、
前記第２の傾斜状態は、前記本体板部の長手方向の中間部が前記当接壁部に当接することで形成される、
ことを特徴とする請求項４記載の遊技媒体回収機構。
【請求項６】
前記排出用開口は、前記回収受け皿が位置する前記回収コンベア部分の長手方向と直交する方向で前記回収コンベア部分から離れた方向に遊技媒体を排出するように形成されている、
ことを特徴とする請求項１〜５の何れか１項記載の遊技媒体回収機構。
【請求項７】
前記胴部は、前記回収受け皿が位置する前記回収コンベア部分の長手方向と直交する方向で互いに対向し前記排出口側に位置する後壁と前記排出口と離れた側に位置する前壁とを有し、
前記前壁の下部は、下方に至るにつれて前記後壁に近づく方向に変位する傾斜面として形成され、
前記排出用開口は前記傾斜面に設けられている、
ことを特徴とする請求項１記載の遊技媒体回収機構。
【請求項８】
前記フラッパは、前記後壁に揺動可能に設けられ、
前記フラッパは、前記開放位置で前記後壁に近接した箇所に位置して前記排出口の上方を開放し、
前記フラッパは、前記閉塞位置で前記後壁から前記前壁側に至るにつれて下方に変位する傾斜状態となりその先端が前記排出口側の排出用開口の箇所の近傍に位置する、
ことを特徴とする請求項７記載の遊技媒体回収機構。
【請求項９】
前記シャッターを前記排出用開口を閉塞する位置に付勢するシャッター用付勢手段が設けられている、
ことを特徴とする請求項７または８項記載の遊技媒体回収機構。
【請求項１０】
前記遊技媒体使用機器は、前記回収コンベアの長手方向に沿って複数配置され、
前記各遊技媒体使用機器毎に前記フラッパを前記閉塞位置に向けて付勢するフラッパ用付勢手段と、前記フラッパを前記開放位置にロックするロック手段とが設けられ、
前記複数の前記遊技媒体使用機器の前記ロック手段によるロックを一斉に解除するロック解除手段が設けられている、
ことを特徴とする請求項１〜９の何れか１項記載の遊技媒体回収機構。
【発明の詳細な説明】
【技術分野】
【０００１】
本発明は、遊技媒体回収機構に関する。
【背景技術】
【０００２】
遊技店には、遊技機と、遊技機に併設され遊技媒体の払い出しを行なう貸出機（以下単に貸出機という）とが並べられて構成された遊技島が設置されている。
これら遊技機および貸出機から排出された遊技媒体は、遊技機および貸出機の下方で遊技島の延在方向に沿って配置された回収コンベアに排出され、回収コンベアによって回収された遊技媒体は、揚送装置によって揚送されたのち、媒体補給装置によって遊技機および貸出機に補給される（特許文献１参照）。
一方、遊技者が獲得した遊技媒体を計数する計数機は、島端や遊技島から離れた箇所に設置されているため、遊技者は遊技媒体の計数を行なうために、計数機のある場所まで移動する必要がある。
【０００３】
そこで、近年、遊技者の利便性の向上を図るため、各遊技機の近傍に遊技媒体の計数を行なう各台計数機が設けられている（特許文献２参照）。
各台計数機に投入された遊技媒体は、各台計数機で計数されたのち、直接回収コンベアに排出されて上記と同様に回収、揚送、補給される。
したがって、各台計数機が導入された遊技島では、回収コンベアで回収する遊技媒体は、各遊技機および各貸出機から排出される遊技媒体と、各台計数機から排出される遊技媒体との双方となるため、大量となる。
【先行技術文献】
【特許文献】
【０００４】
【特許文献１】特開２００８−４３６９４号公報
【特許文献２】特開２０１２−１１０２７号公報
【発明の概要】
【発明が解決しようとする課題】
【０００５】
ところで、回収コンベアが故障して停止した場合、停止した回収コンベア上に時間経過と共に遊技媒体が滞留していくと、やがて大量の遊技媒体が回収コンベアに載置されることから、停止した状態の回収コンベアに過大な荷重が加わってしまう。
そのため、回収コンベアの修理後、回収コンベアを始動する際に、過大な負荷が回収コンベアにかかり、回収コンベアの始動を円滑に行なう上で不利となり、また、回収コンベアの始動時、過大な荷重が加わるため、回収コンベアの耐久性が低下することが懸念される。
本発明は、上記事情に鑑みてなされたものであり、その目的は、回収コンベアの修理後、回収コンベアを始動を円滑に行なうと共に、回収コンベアの耐久性を高める上で有利な遊技媒体回収機構を提供することにある。
【課題を解決するための手段】
【０００６】
上記目的を達成するために、請求項１記載の発明は、遊技媒体使用機器と回収コンベアとの間に配置された回収受け皿を備え、前記回収受け皿は、前記遊技媒体使用機器から排出された遊技媒体を受け入れる胴部を有し、前記胴部は、前記胴部内の遊技媒体を前記回収コンベアに排出する排出口を有する遊技媒体回収機構であって、前記排出口からの遊技媒体の排出を可能とする開放位置と前記排出口からの遊技媒体の排出を不能とする閉塞位置との間で移動されるフラッパと、前記胴部に設けられ前記閉塞位置に位置する前記フラッパにより前記胴部内に溜められた遊技媒体の排出を可能とした排出用開口と、前記排出用開口を開閉するシャッターとを備えることを特徴とする。
請求項２記載の発明は、前記胴部は、前記フラッパの開放位置で前記フラッパの上方に位置するフラッパ上空間部と、前記フラッパ上空間部の下方に位置し前記フラッパの開放位置で前記フラッパにより前記フラッパ上空間部と遮断され、前記フラッパの前記閉塞位置で前記フラッパ上空間部に連通する遊技媒体溜め部とを有していることを特徴とする。
請求項３記載の発明は、前記遊技媒体溜め部は、前記排出口の下方に位置する前記回収コンベア部分の長手方向と直交する方向で前記排出口よりも前記回収コンベア部分から離れた箇所に位置していることを特徴とする。
請求項４記載の発明は、前記フラッパは、前記回収コンベア部分の長手方向と平行する軸を支点として揺動する本体板部を備え、前記本体板部は、前記開放位置で、前記フラッパ上空間部と前記遊技媒体溜め部とを遮断すると共に前記排出口を前記フラッパ上空間部に連通させ、前記排出口と離れた側の端部から前記排出口側の端部に至るにつれて次第に下方に変位するように傾斜する第１の傾斜状態となり、前記本体板部は、前記閉塞位置で、前記排出口の上方に位置して前記排出口を閉塞すると共に前記フラッパ上空間部と前記遊技媒体溜め部とを連通させ、前記排出口側の端部から前記排出口と離れた側の端部に至るにつれて次第に下方に変位するように傾斜する第２の傾斜状態となることを特徴とする。
請求項５記載の発明は、前記胴部は、前記回収コンベア部分の長手方向と直交する方向で互いに対向し前記排出口側に位置する後壁と前記排出口と離れた側に位置する前壁と、前記回収コンベア部分の長手方向と直交する方向で前記後壁と前記前壁との間の箇所に位置する当接壁部を有し、前記前壁に、前記胴部内に出没可能で前記胴部内に突出する方向に付勢されたストッパが設けられ、前記本体板部は、前記回収コンベア部分の長手方向と直交する方向の長さを有し、前記第１の傾斜状態は、前記排出口側に位置する前記本体板部の箇所が前記当接壁部に当接すると共に前記排出口と離れた前記前記本体板部の端部が前記ストッパに当接することで形成され、前記第２の傾斜状態は、前記本体板部の長手方向の中間部が前記当接壁部に当接することで形成されることを特徴とする。
請求項６記載の発明は、前記排出用開口は、前記回収受け皿が位置する前記回収コンベア部分の長手方向と直交する方向で前記回収コンベア部分から離れた方向に遊技媒体を排出するように形成されていることを特徴とする。
請求項７記載の発明は、前記胴部は、前記回収受け皿が位置する前記回収コンベア部分の長手方向と直交する方向で互いに対向し前記排出口側に位置する後壁と前記排出口と離れた側に位置する前壁とを有し、前記前壁の下部は、下方に至るにつれて前記後壁に近づく方向に変位する傾斜面として形成され、前記排出用開口は前記傾斜面に設けられていることを特徴とする。
請求項８記載の発明は、前記フラッパは、前記後壁に揺動可能に設けられ、前記フラッパは、前記開放位置で前記後壁に近接した箇所に位置して前記排出口の上方を開放し、前記フラッパは、前記閉塞位置で前記後壁から前記前壁側に至るにつれて下方に変位する傾斜状態となりその先端が前記排出口側の排出用開口の箇所の近傍に位置することを特徴とする。
請求項９記載の発明は、前記シャッターを前記排出用開口を閉塞する位置に付勢するシャッター用付勢手段が設けられていることを特徴とする。
請求項１０記載の発明は、前記遊技媒体使用機器は、前記回収コンベアの長手方向に沿って複数配置され、前記各遊技媒体使用機器毎に前記フラッパを前記閉塞位置に向けて付勢するフラッパ用付勢手段と、前記フラッパを前記開放位置にロックするロック手段とが設けられ、前記複数の前記遊技媒体使用機器の前記ロック手段によるロックを一斉に解除するロック解除手段が設けられていることを特徴とする。
【発明の効果】
【０００７】
請求項１記載の発明によれば、回収コンベアの異常停止時にフラッパを開放位置から閉塞位置に移動させ、遊技媒体使用機器から排出された遊技媒体を回収受け皿に溜め込み、溜められた遊技媒体を排出用開口から排出できる。
そのため、停止状態の回収コンベアに大量の遊技媒体が排出されることを防止でき、回収コンベアの修理後、回収コンベアを始動を円滑に行なう上で有利となり、また、回収コンベアの始動時、過大な荷重が加わることを回避できるため、回収コンベアの耐久性を高める上で有利となる。
請求項２記載の発明によれば、遊技媒体使用機器から排出された遊技媒体が溜められる遊技媒体溜め部を設けたので、回収受け皿の遊技媒体を溜める容量を確保する上で有利となるため、遊技媒体回収機構から遊技媒体を回収する回数を減らすことができ、作業性の向上を図る上で有利となる。
請求項３記載の発明によれば、遊技媒体溜め部を胴部の下方のデッドスペースに配置することができ、遊技媒体回収機構を大型化することなく溜め部の容量を確保する上でより有利となる。
請求項４記載の発明によれば、フラッパの開放位置において遊技媒体を排出口に円滑に導くと共に、フラッパの閉塞位置において遊技媒体を遊技媒体溜め部に円滑に導くことができ、遊技媒体回収機構による遊技媒体の回収の効率化を図る上で有利となる。
請求項５記載の発明によれば、本体板部の第１の傾斜状態、第２の傾斜状態を確実に保持でき、遊技媒体回収機構による遊技媒体の回収動作を確実に行う上で有利となる。
請求項６記載の発明によれば、遊技媒体溜め部に溜められた遊技媒体を回収する作業を容易に行うことができ遊技媒体の回収作業の効率化を図る上で有利となる。
請求項７記載の発明によれば、遊技媒体の自重を利用でき、排出用開口からの遊技媒体の排出を円滑に行なう上で有利となる。
請求項８記載の発明によれば、開放位置においてフラッパが胴部内で占有するスペースを可及的に小さくし、遊技媒体の排出用開口からの排出を確実に円滑に行わせる上で有利となる。
請求項９記載の発明によれば、シャッターの閉め忘れが防止され、遊技媒体が遊技島内に落下して散乱するといったことを確実に防止する上で有利となる。
請求項１０記載の発明によれば、フラッパの閉塞位置への移動を自動的に一斉に行なえ、作業時間の短縮と作業の効率化を図る上で有利となる。
【図面の簡単な説明】
【０００８】
【図１】第１の実施の形態の遊技媒体回収機構が適用された遊技島の一部を示す正面図である。
【図２】図１のＡＡ線断面図である。
【図３】第１の実施の形態の遊技媒体回収機構を示す斜視図である。
【図４】（Ａ）はフラッパが開放位置にある状態を示す回収受け皿の断面図、（Ｂ）はフラッパが閉塞位置にある状態を示す回収受け皿の断面図である。
【図５】（Ａ）はロック手段がフラッパを開放位置にロックした状態を示す説明図、（Ｂ）はロック手段によるロックが解除された状態を示す説明図である。
【図６】フラッパが閉塞位置に位置した状態で遊技媒体が回収受け皿に溜まった状態を示す断面図である。
【図７】回収受け皿に溜まった遊技媒体が排出用開口から移動式シュートへ排出される状態を示す断面図である。
【図８】回収受け皿に溜まった遊技媒体を排出用開口から移動式シュートを介して移動式タンクへ排出させる直前の状態を示す説明図である。
【図９】第２の遊技媒体回収機構を示す斜視図であり、フラッパが開放位置に位置した状態を示す説明図である。
【図１０】第２の遊技媒体回収機構を示す斜視図であり、フラッパが閉塞位置に位置した状態を示す説明図である。
【図１１】第２の遊技媒体回収機構を示す斜視図であり、全開された排出用開口に移動式シュートを接続した状態を示す説明図である。
【図１２】フラッパが開放位置にある状態を示す回収受け皿の断面図である。
【図１３】フラッパが閉塞位置にある状態を示す回収受け皿の断面図である。
【図１４】フラッパが開放位置にある状態を示す回収受け皿の拡大断面図である。
【図１５】フラッパが閉塞位置にある状態を示す回収受け皿の拡大断面図である。
【図１６】フラッパが閉塞位置に位置した状態で遊技媒体が回収受け皿に溜まった状態を示す断面図である。
【図１７】回収受け皿に溜まった遊技媒体が排出用開口から着脱式シュートへ排出される状態を示す断面図である。
【発明を実施するための形態】
【０００９】
（第１の実施の形態）
以下、本発明の実施の形態について添付図面を参照して説明する。
まず、本発明が適用される遊技島の構成について説明する。
図１に示すように、遊技島２は、遊技機４と、遊技機４に併設された貸出機６とが並べられて構成され、遊技島２は、補給コンベア１２と、遊技媒体補給装置１４と、回収コンベア１６と、本発明に係る遊技媒体回収機構１０（図２）とを含んで構成されている。
なお、本実施の形態では、遊技機４、貸出機６、後述する各台計数機８（図２）がそれぞれ遊技媒体使用機器に相当している。
また、本実施の形態では、遊技媒体がメダル（コイン）であり、遊技機４がスロットマシンであり、貸出機６がメダル貸機である場合について説明するが、遊技媒体、遊技機４、貸出機６の種類は限定されるものではない。
【００１０】
遊技機４は、遊技者が遊技媒体を使用して遊技を行なうものである。
貸出機６は、遊技者に対して遊技媒体の払い出し（貸し出し）を行なうものである。
遊技機４および貸出機６は、水平方向に沿って延在する単一の膳板７の上に設置されている。
本実施の形態では、図２に示すように、遊技者が獲得した遊技媒体を計数するための各台計数機８が貸出機６の下部に内蔵されており、貸出機６の前面には、各台計数機８へ遊技媒体を投入するための不図示の投入口が設けられている。
このように各台計数機付きの貸出機６が併設された遊技機４が、本実施の形態では、複数直線状に並べられて遊技機列４Ａを構成しており、この遊技機列４Ａは互いに対向するように一対設けられ遊技島２を構成している。
【００１１】
図１に示すように、補給コンベア１２は、遊技島２に設けられ遊技媒体を遊技機４または貸出機６に搬送するものである。
補給コンベア１２は、一対の遊技機列４Ａの間で遊技機４および貸出機６の上方にそれら遊技機列４Ａの延在方向に沿って延在し、遊技媒体補給装置１４から送り出された所定量の遊技媒体を水平方向に向けて搬送するものである。
【００１２】
図１に示すように、遊技媒体補給装置１４は、遊技島２の島端に設けられ、後述する回収コンベア１６で回収された遊技媒体を補給コンベア１２の上流端に所定量送り出すものである。
遊技媒体補給装置１４は、回収された遊技媒体を洗浄する洗浄装置、洗浄された遊技媒体を補給コンベア１２まで揚送する揚送装置を含んでいる。
【００１３】
回収コンベア１６は、一対の遊技機列４Ａから排出された遊技媒体を回収して遊技媒体補給装置１４に搬送するものである。
回収コンベア１６は、一対の遊技機列４Ａの間で遊技機４および貸出機６の下方にそれら遊技機列４Ａの延在方向に沿って延在し、一対の遊技機列４Ａから排出された遊技媒体を水平方向で遊技媒体補給装置１４に向けて搬送するものである。
【００１４】
次に、遊技媒体回収機構１０について説明する。
図２、図３に示すように、遊技媒体回収機構１０は、一対の遊技機列４Ａの各遊技媒体使用機器毎に設けられており、したがって、遊技媒体回収機構１０は回収コンベア１６の幅方向の両側で回収コンベア１６の長手方向に沿って複数間隔をおいて配置されている。
なお、一対の遊技機列４Ａの各遊技媒体使用機器毎に設けられた遊技媒体回収機構１０の構成は同様であるため、以下では、一方の遊技機列４Ａの各遊技媒体使用機器に設けられた遊技媒体回収機構１０について説明する。
また、以下では、説明の簡素化を図るため、遊技媒体使用機器が各台計数機８である場合について説明する。なお、遊技媒体使用機器が遊技機４、あるいは、貸出機６、あるいは、各台計数機８および遊技機４並びに貸出機６であっても、本発明は無論適用可能である。
【００１５】
図２、図３に示すように、遊技媒体回収機構１０は、シュート１８と、回収受け皿２０と、排出用開口２２と、フラッパ２４と、フラッパ開閉手段２６と、シャッター２８とを含んで構成されている。
シュート１８は、膳板７に取着されており各台計数機８の排出口８Ａに連通し、各台計数機８から排出された遊技媒体を受け入れて回収受け皿２０に排出する。
回収受け皿２０は、シュート１８と回収コンベア１６との間に設けられ、シュート１８から排出された遊技媒体を受け入れて回収コンベア１６に排出するものであり、言い換えると、回収受け皿２０は、各台計数機８と回収コンベア１６との間に設けられている。
【００１６】
回収受け皿２０は、図３、図４（Ａ）、（Ｂ）に示すように、中空状の胴部３０を有している。
胴部３０は、図２に示すように、回収受け皿２０が位置する回収コンベア部分１６Ａの長手方向と直交する方向で互いに対向し排出口３０Ｂ側に位置する後壁３００４と、排出口３０Ｂと離れた側に位置する前壁３００２と、それら前壁３００２と後壁３００４とを接続する一対の側壁３００６とを有している。
言い換えると、胴部３０は、各台計数機８側に位置する前壁３００２と、前壁３００２に対向し各台計数機８から離れた側に位置する後壁３００４と、それら前壁３００２と後壁３００４とを接続する一対の側壁３００６とを有している。
後壁３００４と一対の側壁３００６は、それぞれ鉛直面上に位置する平坦面で形成されている。
図３、図４（Ａ）、（Ｂ）に示すように、前壁３００２の上部は、後壁３００４に平行する平坦面で形成され、前壁３００２の下部は、下方に至るにつれて後壁３００４に近づく傾斜面３００２Ａと、この傾斜面３００２Ａの下端から後壁３００４に平行して下方に延在する平坦面とで形成されている。
胴部３０の上端に、前壁３００２の上端と後壁３００４の上端と一対の側壁３００６の上端とで、シュート１８から排出された遊技媒体を受け入れる矩形状の開口３０Ａが形成されている。
胴部３０の下端に、前壁３００２の平坦面の下端と後壁３００４の下端と一対の側壁３００６の下端とで、胴部３０内の遊技媒体を回収コンベア１６に排出する排出口３０Ｂが形成され、排出口３０Ｂは回収コンベア１６上に位置している。
【００１７】
図３、図４（Ａ）、（Ｂ）に示すように、後壁３００４の中間部から下部にわたって開口３００４Ａが形成されている。
この開口３００４Ａは後述するフラッパ２４により開閉され、回収受け皿２０の軽量化が図られている。
また、図４（Ａ）、（Ｂ）に示すように、傾斜面３００２Ａに、胴部３０内に溜められた遊技媒体の排出を可能とする排出用開口２２が設けられている。
このように傾斜面３００２Ａに排出用開口２２を設けることで、後述するように閉塞位置に位置するフラッパ２４により胴部３０内に溜められた遊技媒体をそれらの自重により下方に排出する上で有利となる。
【００１８】
フラッパ２４は、図４（Ａ）に示す、排出口３０Ｂからの遊技媒体の排出を可能とする開放位置と、図４（Ｂ）に示す、排出口３０Ｂからの遊技媒体の排出を不能とする閉塞位置との間で移動される。
フラッパ２４は、閉塞位置で胴部３０内に突出し排出口３０Ｂからの遊技媒体の排出を不能とする大きさの矩形板状を呈する本体板部２４０２と、本体板部２４０２の端部から屈曲する屈曲板部２４０４とを有している。
フラッパ２４は、屈曲板部２４０４が後壁３００４にヒンジ３２を介して揺動可能に設けられている。
フラッパ２４は、図４（Ａ）に示す開放位置で後壁３００４に近接して開口３００４Ａを閉塞し、後壁３００４の一部を構成し、排出口３０Ｂからの遊技媒体の排出を可能とする。
このようにフラッパ２４は開放位置で後壁３００４に近接することで、フラッパ２４が胴部３０内で占有するスペースを可及的に小さくし、遊技媒体の排出用開口２２からの排出を確実に円滑に行わせる上で有利となっている。
また、図４（Ｂ）、図６に示すように、フラッパ２４は、閉塞位置で後壁３００４から胴部３０内に突出し、フラッパ２４の先端が排出用開口２２の下縁の近傍に位置し、排出口３０Ｂからの遊技媒体の排出を不能とする。
本実施の形態では、フラッパ２４が閉塞位置に位置した状態で、遊技媒体であるメダルの枚数として３０００〜４０００枚程度が溜められるように、回収受け皿２０の容量が形成されている。
【００１９】
フラッパ開閉手段２６は、フラッパ２４を開放位置と閉塞位置とに移動させるものである。
図３、図４（Ａ）、（Ｂ）に示すように、フラッパ開閉手段２６は、フラッパ用付勢手段３４と、ロック手段３６と、ロック解除手段３８とを備えている。
フラッパ用付勢手段３４は、フラッパ２４を閉塞位置に向けて付勢するものである。
本実施の形態では、フラッパ用付勢手段３４は、屈曲板部２４０４と、後壁３００４との間に張設された引張コイルスプリング４０によって構成されている。
フラッパ用付勢手段３４により付勢されたフラッパ２４は、側壁３００６に設けられたストッパ３０１０に当接し、閉塞位置となる。
【００２０】
ロック手段３６は、フラッパ用付勢手段３４の付勢力に抗してフラッパ２４を開放位置にロックするものである。
図３〜図５に示すように、本実施の形態では、ロック手段３６は、係合片４２と、板ばね４４とを含んで構成されている。
図４（Ａ）、（Ｂ）、図５に示すように、係合片４２は、フラッパ２４の本体板部２４０２の一側下部から突設された基部４２０２と、基部４２０２の先端から屈曲部４２０４を介して延在する傾斜部４２０６とを有している。
板ばね４４の下部が、係合片４２の屈曲部４２０４に係止することで、フラッパ２４の開放位置が決定されている。なお、図５（Ａ）、（Ｂ）において矢印Ａはフラッパ用付勢手段３４による係合片４２（フラッパ２４）の付勢方向を示す。
板ばね４４は、図４（Ａ）、（Ｂ）に示すように側壁３００６に取り付け片３０１２を介して設けられ、取り付け片３０１２から下方に延在し、回収コンベア１６の長手方向に沿って弾性変形可能である。
【００２１】
上述のように、各台計数機８は、回収コンベア１６の長手方向に沿って複数配置され、ロック解除手段３８は、図３〜図５に示すように、回収コンベア１６の長手方向に延在する単一のロッド４６を含んで構成されている。
ロッド４６は、各台計数機８毎に設けられた遊技媒体回収機構１０のロック手段３６の板ばね４４の下部に取着されている。
図５（Ａ）に示すように、ロッド４６がニュートラル位置に位置し、各台計数機８毎に設けられた遊技媒体回収機構１０の板ばね４４の下部が係合片４２の屈曲部４２０４に係止した状態で、各台計数機８毎に設けられた遊技媒体回収機構１０のフラッパ２４は、図４（Ａ）に示す開放位置となる。
【００２２】
また、この状態から、図５（Ｂ）に示すように、板ばね４４を係合片４２から離すロック解除位置にロッド４６を移動させると、板各台計数機８毎に設けられた遊技媒体回収機構１０のロック手段３６の板ばね４４の下部が係合片４２から離れる方向に弾性変形し、板ばね４４の下部と係合片４２の屈曲部４２０４との係止が解除され、各台計数機８毎に設けられた遊技媒体回収機構１０のフラッパ２４は、図４（Ｂ）に示すようにフラッパ用付勢手段３４により閉塞位置に移動する。
【００２３】
また、ロッド４６を図５（Ａ）に示すニュートラル位置に位置させ、フラッパ２４を閉塞位置から開放位置に移動させると、係合片４２の傾斜部４２０６が板ばね４４を弾性変形させて板ばね４４を乗り越え、図５（Ａ）に示すように、板ばね４４の下部と係合片４２の屈曲部４２０４とが係止し、図４（Ａ）に示すようにフラッパ２４は開放位置に復帰する。
【００２４】
なお、各台計数機８毎に設けられた遊技媒体回収機構１０のフラッパ２４が開放位置から閉塞位置に移動する動作は、単一のロッド４６の移動により行なわれる。
また、各台計数機８毎に設けられた遊技媒体回収機構１０のフラッパ２４が閉塞位置から開放位置に移動する動作は、各遊技媒体回収機構１０毎に個別に行なわれる。
また、ロッド４６のニュートラル位置とロック解除位置との間の移動は手動で行ってもよく、アクチュエータによって行っても良い。
【００２５】
シャッター２８は、排出用開口２２を開閉するものであり、本実施の形態では、シャッター２８は、図６に示すように、排出用開口２２を閉塞する閉塞位置と、図７に示すように、排出用開口２２を開放する開放位置との間で、傾斜面３００２Ａに沿って移動可能であり、手動により移動される。
また、図４（Ａ）、（Ｂ）に示すように、シャッター２８を閉塞位置に付勢するシャッター用付勢手段４８が設けられており、シャッター２８は常時閉塞位置に位置している。シャッター用付勢手段４８を設けることで、シャッター２８の閉め忘れが防止され、遊技媒体が遊技島内に落下して散乱するといったことを確実に防止する上で有利となっている。
排出用開口２２は矩形を呈し、シャッター２８は排出用開口２２よりも一回り大きい矩形を呈し、シャッター用付勢手段４８は、排出用開口２２の外側に位置するシャッター２８の両側と、傾斜面３００２Ａの下部両側とにわたって設けられ、シャッター２８の下端両側が傾斜面３００２Ａの下部両側のストッパ３０２０に係止することでシャッター２８は閉塞位置となる。
なお、シャッター２８の開放位置と閉塞位置との間の移動はアクチュエータによって行っても良い。
【００２６】
次に、本実施の形態の遊技媒体回収機構１０の作用効果について説明する。
遊技島における回収コンベア１６が正常に動作している通常時、図３、図４（Ａ）に示すように、各フラッパ２４は、ロック手段３６により開放位置にロックされ、シャッター２８は閉塞位置に位置している。
したがって、各台計数機８から排出された遊技媒体は、シュート１８を介して回収受け皿２０の胴部３０に排出されたのち、排出口３０Ｂを介して回収コンベア１６に排出される。
遊技媒体は回収コンベア１６によって遊技媒体補給装置１４に向けて搬送され、遊技媒体補給装置１４に回収される。
回収された遊技媒体は、洗浄装置で洗浄されたのち揚送装置により補給コンベア１２まで揚送され、再び補給コンベア１２を介して各台計数機８に補給される。
【００２７】
次に、遊技島において回収コンベア１６に異常が発生して回収コンベア１６が停止状態になったものとする。
このような回収コンベア１６が停止した異常時、遊技島の適宜箇所に設けられた警報表示用の表示装置あるいは警告灯により回収コンベア１６が異常により停止した旨が表示される。
遊技店の従業員は、回収コンベア１６の異常停止の表示を視認すると、ロッド４６の一端を引っ張り、ロッド４６をニュートラル位置からロック解除位置に移動する。これにより、ロッド４６を介して板ばね４４と係合片４２の屈曲部４２０４との係合が解除され、各フラッパ２４の開放位置へのロックが解除される。
各フラッパ２４は、図４（Ｂ）に示すように、フラッパ用付勢手段３４により開放位置から閉塞位置に移動し、排出口３０Ｂからの遊技媒体の排出が不能な状態となる。
これにより、図６に示すように、各台計数機８から排出された遊技媒体Ｍは、シュート１８を介して回収受け皿２０の胴部３０に排出されたのち、胴部３０内に溜め込まれ、回収コンベア１６への遊技媒体Ｍの排出は停止される。
【００２８】
回収受け皿２０から遊技媒体Ｍが溢れることを防止するため、回収受け皿２０の胴部３０にある程度の遊技媒体Ｍが溜め込まれた段階で、回収受け皿２０の胴部３０から遊技媒体Ｍを回収する必要がある。
そのため、従業員は、図８に示すように、移動式シュート５０と、移動式タンク５２とを準備する。移動式シュート５０は、キャスター５００２が設けられた複数の脚部によって移動可能に支持されている。また、移動式タンク５２は、キャスター５２０２によって移動可能に支持されている。
そして、図７、図８に示すように、移動式シュート５０を介して排出用開口２２と移動式タンク５２とを接続し、シャッター２８を閉塞位置から開放位置に移動させる。
シャッター２８を閉塞位置から開放位置に移動させると、胴部３０に溜め込まれた遊技媒体Ｍは、排出用開口２２から自重により落下し、移動式シュート５０を介して移動式タンク５２に排出される。
胴部３０に溜め込まれた遊技媒体Ｍが全て排出されたならば、シャッター２８から手を離すと、シャッター用付勢手段４８（図４（Ａ））の付勢力によりシャッター２８は開放位置から閉塞位置に復帰する。
このようにして各回収受け皿２０から遊技媒体Ｍを順次移動式タンク５２に回収していく。
【００２９】
回収コンベア１６の修理がなされたならば、回収コンベア１６を動作させる。
従業員がロッド４６をニュートラル位置に移動させ、手動により各フラッパ２４をフラッパ用付勢手段３４の付勢力に抗して閉塞位置から開放位置に戻すことにより、各フラッパ２４は開放位置にロックされる。
このような操作を全てのフラッパ２４について行なったならば一連の作業が終了する。
【００３０】
以上説明したように、本実施の形態によれば、回収コンベア１６の異常停止時にフラッパ２４を開放位置から閉塞位置に移動させ、各台計数機８から排出された遊技媒体Ｍを回収受け皿２０の胴部３０に溜め込むことで、遊技媒体Ｍが停止状態の回収コンベア１６に排出されることを防止でき、回収コンベア１６が停止する異常時において大量の遊技媒体Ｍが回収コンベア１６に載置されることを防止できる。
そのため、回収コンベア１６の修理後、回収コンベア１６を始動を円滑に行なう上で有利となり、また、回収コンベア１６の始動時、過大な荷重が加わることを回避できるため、回収コンベア１６の耐久性を高める上で有利となる。
【００３１】
また、フラッパ２４により胴部３０内に溜められた遊技媒体Ｍを排出する排出用開口２２と排出用開口２２を開閉するシャッター２８を設けたので、回収コンベア１６が停止する異常時において胴部３０内に溜め込まれた遊技媒体Ｍの回収を確実に行なう上で有利となる。
また、シャッター２８の開閉は各台計数機８毎に個別に行えるため、作業員が移動式シュート５０と移動式タンク５２とを各台計数機８毎に設置し、胴部３０内に溜め込まれた遊技媒体Ｍの回収を確実に行なう上で有利となる。
【００３２】
また、ロック解除手段３８が回収コンベア１６の長手方向に延在する単一のロッド４６を含んで構成され、複数のフラッパ２４の開放位置から閉塞位置への移動を単一のロッド４６を操作することで行えるため、操作性の向上を図る上で有利となり、ロック解除手段３８の構造の簡単化を図り、コストダウンを図る上で有利となる。
また、フラッパ２４の閉塞位置から開放位置への移動は、各台計数機８毎に個別に行えるため、例えば、胴部３０内に溜め込まれた遊技媒体Ｍが少量で排出用開口２２から排出させる必要のない場合、各台計数機８毎に順次フラッパ２４を閉塞位置から開放位置へ移動させることで、回収コンベア１６に排出される遊技媒体Ｍの量を抑制することができ、回収コンベア１６に過大な荷重が加わることを回避でき、回収コンベア１６の耐久性を高める上で有利となる。
【００３３】
なお、本実施の形態では、各フラッパ２４を単一のロッド４６を用いて閉塞位置に移動させる場合について説明したが、各フラッパ２４の開閉動作を、電磁ソレノイドやモータなどのアクチュエータを用いて個別に行なうようにしてもよい。
すなわち、各フラッパ２４毎に、フラッパ２４を開閉するアクチュエータを設けてもよい。
このようにアクチュエータを用いれば、各アクチュエータの動作を既存の制御装置によって個別に制御し、あるいは、各アクチュエータの全体を同時に制御することができ、迅速かつ確実にフラッパ２４の開閉を行わせることができ、作業時間の短縮と作業の効率化を図る上で有利となる。
【００３４】
（第２の実施の形態）
次に第２の実施の形態について図９〜図１５を参照して説明する。
なお、以下の実施の形態において、第１の実施の形態と同様の部分、部材については同一の符号を付してその説明を省略し、相違する点について重点的に説明する。
図１、図２を流用して説明すると、第２の実施の形態でも第１の実施の形態と同様に、遊技島２は、遊技機４と、遊技機４に併設された貸出機６とが並べられて構成され、遊技島２は、補給コンベア１２と、遊技媒体補給装置１４と、回収コンベア１６と、遊技媒体回収機構１０とを含んで構成されている。
なお、第２の実施の形態でも、遊技機４、貸出機６、各台計数機８がそれぞれ遊技媒体使用機器に相当している。
また、第２の実施の形態でも、遊技媒体がメダル（コイン）であり、遊技機４がスロットマシンであり、貸出機６がメダル貸機である場合について説明するが、遊技媒体、遊技機４、貸出機６の種類は限定されるものではない。
また、第２の実施の形態でも、説明の簡素化を図るため、遊技媒体使用機器が各台計数機８である場合について説明する。なお、遊技媒体使用機器が遊技機４、あるいは、貸出機６、あるいは、各台計数機８および遊技機４並びに貸出機６であっても、本発明は無論適用可能である。
また、第２の実施の形態でも第１の実施の形態と同様に、遊技媒体回収機構１０は、一対の遊技機列４Ａの各各台計数機８毎に設けられており、したがって、遊技媒体回収機構１０は回収コンベア１６の幅方向の両側で回収コンベア１６の長手方向に沿って複数間隔をおいて配置されている。
【００３５】
図１０、図１３に示すように、第２の実施の形態では、胴部３０が、前記フラッパの開放位置で前記フラッパの上方に位置するフラッパ上空間部５５と、前記フラッパ上空間部５５の下方に位置し前記フラッパの開放位置で前記フラッパにより前記フラッパ上空間部５５と遮断され、前記フラッパの前記閉塞位置で前記フラッパ上空間部５５に連通する遊技媒体溜め部とを有している点が第１の実施の形態と異なっている。
すなわち、図９、図１２に示すように、回収受け皿２０は中空状の胴部３０を有し、胴部３０は、前壁３００２、後壁３００４、左右の側壁３００６に加え、前壁３００２と後壁３００４との間で左右の側壁３００６間に延在する中間壁３０２０と、この中間壁３０２０の上部に設けられた当接壁部３０２２とを備えている。
図１４に示すように、当接壁部３０２２は、前壁３００２側に位置する前当接部３０２２Ａと、後壁３００４側に位置する後当接部３０２２Ｂとを有している。
そして、左右の側壁３００６の間で前壁３００２と中間壁３０２０で囲まれた空間が遊技媒体溜め部５６となっている。
図１２に示すように、遊技媒体溜め部５６は、排出口３０Ｂの下方に位置する回収コンベア部分１６Ａの長手方向と直交する方向で排出口３０Ｂを挟んで回収コンベア部分１６Ａから離れた箇所に位置している。
【００３６】
図１１、図１２に示すように、遊技媒体溜め部５６の底部は、中間壁３０２０から前壁３００２側に至るにつれて次第に下方に変位する傾斜壁５６０２により仕切られている。
排出用開口２２は、遊技媒体溜め部５６に溜められた遊技媒体を排出するためのものであり、前壁３００２の下部に設けられている。
すなわち、排出用開口２２は、回収コンベア部分１６Ａの長手方向と直交する方向で回収コンベア部分１６Ａから離れた方向に遊技媒体を排出するように形成され、排出用開口２２の下部は、傾斜壁５６０２の前端により仕切られている。
図１０、図１１に示すように、排出用開口２２を開閉するシャッター２８は、排出用開口２２の両側に設けられた案内溝２３により上下に昇降可能に設けられ、上限位置（開放位置）で排出用開口２２を全開し、下限位置（閉塞位置）で排出用開口２２を閉塞する。
シャッター２８の昇降は自動的に行うようにしてもよいが、本実施の形態では、手動で行われ、下限位置はシャッター２８の自重により保持される。
また、排出用開口２２の両側に位置する左右側壁３００６の箇所には、後述する着脱式シュート６６を接続するための係合ピン５８がそれぞれ突設されている。
【００３７】
図１４、図１５に示すように、前壁３００２の上部に、胴部３０内に出没可能で胴部３０内に突出する方向に付勢されたストッパ６０が設けられている。
ストッパ６０は、前壁３００２の起立壁３００２Ａに軸３００２Ｂを支点として揺動可能に設けられている。
ストッパ６０は、軸３００２Ｂよりも下方に位置する操作片部６００２と、軸３００２Ｂよりも上方に位置し前壁３００２の溝から胴部３０内に出没し本体板部２５０２の前端が載置される載置部６００４と、載置部６００４の下方に設けられた傾斜案内部６００８とを有している。
ストッパ６０は、コイルスプリング６００６により載置部６００４が胴部３０内に常時突出する方向に付勢され、図１４に示すように傾斜案内部６００８の下方の箇所６０１０が前壁３００２に当接することで載置部６００４が胴部３０内に突出した第１の位置が決定されている。
また、図１５に示すように、第１の位置から操作片部６００２を押し込むと、載置部６００４が胴部３０外に退避する第２の位置となる。
なお、ストッパ６０は、フラッパ２５を開放位置にロックするロック手段ということもできる。
【００３８】
フラッパ２５は、第１の実施の形態と同様に、図９、図１２、図１４に示すように排出口３０Ｂからの遊技媒体の排出を可能とする開放位置と、図１０、図１３、図１５に示すように排出口３０Ｂからの遊技媒体の排出を不能とする閉塞位置との間で移動される。
遊技媒体溜め部５６は、フラッパ２５の開放位置において、フラッパ２５によりフラッパ上空間部５５に対して遮断される。したがって、フラッパ２５の開放位置において、各台計数機８から排出された遊技媒体が遊技媒体溜め部５６に溜められることはなく、各台計数機８から排出された遊技媒体は全てフラッパ上空間部５５を通り排出口３０Ｂから回収コンベア１６に排出され、使用されない遊技媒体が生じないように図られている。
【００３９】
図９、図１２、図１４に示すように、フラッパ２５は、本体板部２５０２と、本体板部２５０２の両側から起立する側板２５０４とを備え、両側の側板２５０４の上部が、回収コンベア部分１６Ａの延在方向と平行する軸２５０６を介して左右の側壁３００６に回転可能に結合され、この軸２５０６を支点として揺動する。
図１４、図１５に示すように、左右の側壁３００６の一方には、軸２５０６を中心として円弧状に延在する案内溝３００６Ａが設けられ、左右側壁３００６の一方に、軸２５０６に連結されフラッパ２５と一体に揺動するフラッパ２５操作用の操作レバー６２が設けられている。
操作レバー６２は、軸２５０６に連結されると共に、２つの側板２５０４のうちの一方に設けられ、案内溝３００６Ａを移動する案内ピン６４に連結されている。
【００４０】
本体板部２５０２は、開放位置で、フラッパ上空間部５５と遊技媒体溜め部５６とを遮断すると共に排出口３０Ｂをフラッパ上空間部５５と連通させる。
図１４に示すように、この状態で本体板部２５０２の後端は後当接部３０２２Ｂに当接し、前端は載置部６００４に当接する。
そして、この状態で本体板部２５０２は、排出口３０Ｂと反対に位置する遊技媒体溜め部５６側の端部から排出口３０Ｂ側に至るにつれて次第に下方に変位するように傾斜する第１の傾斜状態となる。このような第１の傾斜状態により、各台計数機８から排出された遊技媒体が円滑に排出口３０Ｂ側に向けて案内され、遊技媒体の回収の効率化が図られている。
なお、第１の傾斜状態は、フラッパ２５の自重により保持される。
【００４１】
また、本体板部２５０２は、閉塞位置で、排出口３０Ｂの上方に位置して排出口３０Ｂを閉塞すると共にフラッパ上空間部５５と遊技媒体溜め部５６とを連通させる。
図１５に示すように、この状態で本体板部２５０２の中間部は前当接部３０２２Ａに当接する。
そして、この状態で本体板部２５０２は、遊技媒体溜め部５６と反対に位置する排出口３０Ｂ側の端部から排出口３０Ｂと反対に位置する遊技媒体溜め部５６側の端部に至るにつれて次第に下方に変位するように傾斜する第２の傾斜状態となる。このような第２の傾斜状態により、各台計数機８から排出された遊技媒体が円滑に遊技媒体溜め部５６側に向けて案内され、遊技媒体の回収の効率化が図られている。
なお、第２の傾斜状態は、フラッパ２５の自重により保持される。
【００４２】
次に、第２の実施の形態の遊技媒体回収機構１０の作用効果について説明する。
遊技島における回収コンベア１６が正常に動作している通常時、図９、図１２、図１４に示すように、各フラッパ２５は、本体板部２５０２の後端が後当接部３０２２Ｂに当接し、本体板部２５０２の前端が載置部６００４に当接することで開放位置に位置し、シャッター２８は閉塞位置に位置している。
したがって、各台計数機８から排出された遊技媒体は、シュート１８を介して回収受け皿２０の胴部３０のフラッパ上空間部５５に排出され、第１の傾斜状態となっている本体板部２５０２によって円滑に排出口３０Ｂ側に向けて案内され、排出口３０Ｂを介して回収コンベア１６に排出される。
遊技媒体は回収コンベア１６によって遊技媒体補給装置１４に向けて搬送され、遊技媒体補給装置１４に回収される。
回収された遊技媒体は、洗浄装置で洗浄されたのち揚送装置により補給コンベア１２まで揚送され、再び補給コンベア１２を介して各台計数機８に補給される。
【００４３】
次に、遊技島において回収コンベア１６に異常が発生して回収コンベア１６が停止状態になったものとする。
このような回収コンベア１６が停止した異常時、遊技島の適宜箇所に設けられた警報表示用の表示装置あるいは警告灯により回収コンベア１６が異常により停止した旨が表示される。
遊技店の従業員は、回収コンベア１６の異常停止の表示を視認すると、各遊技媒体回収機構１０のストッパ６０の操作片部６００２を押し込むことによりストッパ６０を第１の位置から第２の位置に揺動させる。これにより、フラッパ２５の本体板部２５０２の前端が載置部６００４から外れ、フラッパ２５は自重により移動し、本体板部２５０２の中間部が前当接部３０２２Ａに当接することで第２の傾斜状態となり、フラッパ２５は開放位置から閉塞位置に移動することで排出口３０Ｂからの遊技媒体の排出が不能な状態となる。
これにより、図１５、図１６に示すように、各台計数機８から排出された遊技媒体Ｍは、シュート１８を介して回収受け皿２０の胴部３０のフラッパ上空間部５５に排出され、第２の傾斜状態となっている本体板部２５０２により、円滑に遊技媒体溜め部５６側に向けて案内され、遊技媒体溜め部５６内に溜め込まれ、回収コンベア１６への遊技媒体Ｍの排出は停止される。
【００４４】
回収受け皿２０から遊技媒体Ｍが溢れることを防止するため、遊技媒体溜め部５６にある程度の遊技媒体Ｍが溜め込まれた段階で、遊技媒体溜め部５６から遊技媒体Ｍを回収する必要がある。
そのため、従業員は、図１１に示すように、着脱式シュート６６と、移動式タンク５２（図８）とを準備する。
着脱式シュート６６の上部両側には、各係合ピン５８に係合する不図示の係合爪がそれぞれ設けられており、各係合爪を各係合ピン５８に係合することで、着脱式シュート６６が排出用開口２２に接続される。
そして、着脱式シュート６６を介して排出用開口２２と移動式タンク５２とを接続し、シャッター２８を閉塞位置から開放位置に移動させる。
シャッター２８を閉塞位置から開放位置に移動させると、図１７に示すように、遊技媒体溜め部５６に溜め込まれた遊技媒体Ｍは、傾斜壁５６０２により排出用開口２２側に案内され、排出用開口２２から自重により落下し、着脱式シュート６６を介して移動式タンク５２に排出される。
遊技媒体溜め部５６に溜め込まれた遊技媒体Ｍが全て排出されたならば、シャッター２８から手を離すと、シャッター２８は自重により開放位置から閉塞位置に復帰する。
このようにして各回収受け皿２０から遊技媒体Ｍを順次移動式タンク５２に回収していく。
【００４５】
回収コンベア１６の修理がなされたならば、回収コンベア１６を動作させる。
従業員が各遊技媒体回収機構１０の操作レバー６２を操作して各フラッパ２５の本体板部２５０２の前端を上方に引き上げて操作レバー６２から手を離す。この操作レバー６２の引き上げ操作により、本体板部２５０２の前端、傾斜案内部６００８を介してストッパ６０は載置部６００４が前壁３００２の外側にいったん位置し、本体板部２４０２の前端が載置部６００４を乗り越えると、ストッパ６０は第１の位置となり、フラッパ２５は本体板部２５０２の前端が載置部６００４に載置された開放位置に位置する。
このような復帰操作を全てのフラッパ２５について行なったならば一連の作業が終了する。
【００４６】
以上説明したように、第２の実施の形態によれば、回収コンベア１６の異常停止時にフラッパ２５を開放位置から閉塞位置に移動させることで、各台計数機８から排出された遊技媒体Ｍを回収受け皿２０の遊技媒体溜め部５６を含む胴部３０に溜め込むことで、遊技媒体Ｍが停止状態の回収コンベア１６に排出されることを防止でき、回収コンベア１６が停止する異常時において大量の遊技媒体Ｍが回収コンベア１６に載置されることを防止できる。
そのため、回収コンベア１６の修理後、回収コンベア１６を始動を円滑に行なう上で有利となり、また、回収コンベア１６の始動時、過大な荷重が加わることを回避できるため、回収コンベア１６の耐久性を高める上で有利となる。
【００４７】
また、第２の実施の形態では、フラッパ２５の閉塞位置において、胴部３０の上部であるフラッパ上空間部５５に連通し各台計数機８から排出された遊技媒体Ｍが溜められる遊技媒体溜め部５６を設けたので、回収受け皿２０の遊技媒体Ｍを溜める容量を確保する上で有利となる。
そのため、回収コンベア１６の停止時間が長時間にわたった場合であっても、多くの遊技媒体Ｍを遊技媒体溜め部５６に溜めることができるので、遊技媒体回収機構１０から遊技媒体Ｍを回収する回数を減らすことができ、作業性の向上を図る上で有利となる。
【００４８】
また、第２の実施の形態では、遊技媒体溜め部５６が、排出口３０Ｂの下方に位置する回収コンベア部分１６Ａの長手方向と直交する方向で排出口３０Ｂを挟んで回収コンベア部分１６Ａから離れた箇所に位置しているので、遊技媒体溜め部５６を胴部３０の下方のデッドスペースに配置することができ、遊技媒体回収機構１０を大型化することなく遊技媒体溜め部５６の容量を確保する上でより有利となる。
【００４９】
また、第２の実施の形態では、フラッパ２５の開放位置において、本体板部２５０２が、遊技媒体溜め部５６の上部に位置してフラッパ上空間部５５を遊技媒体溜め部５６から遮断すると共に排出口３０Ｂを胴部３０内に連通させ、排出口３０Ｂと反対に位置する遊技媒体溜め部５６側の端部から排出口３０Ｂ側に至るにつれて次第に下方に変位するように傾斜する第１の傾斜状態となる。
また、フラッパ２５の閉塞位置で、排出口３０Ｂの上方に位置して排出口３０Ｂを閉塞すると共に遊技媒体溜め部５６とフラッパ上空間部５５とを連通させ、遊技媒体溜め部５６と反対に位置する排出口３０Ｂ側の端部から排出口３０Ｂと反対に位置する遊技媒体溜め部５６側の端部に至るにつれて次第に下方に変位するように傾斜する第２の傾斜状態となる。
したがって、フラッパ２５の開放位置において遊技媒体Ｍを排出口３０Ｂに円滑に導くと共に、フラッパ２５の閉塞位置において遊技媒体Ｍを遊技媒体溜め部５６に円滑に導くことができ、遊技媒体回収機構１０による遊技媒体Ｍの回収の効率化を図る上で有利となる。
【００５０】
また、第２の実施の形態では、本体板部２５０２の第１の傾斜状態は、排出口３０Ｂ側に位置する本体板部２５０２の箇所が当接壁部３０２２に当接すると共に排出口３０Ｂと離れた遊技媒体溜め部５６側の端部に位置する本体板部２５０２の箇所がストッパ６０に当接することで形成され、本体板部２５０２の第２の傾斜状態は、遊技媒体溜め部５６側に位置する本体板部２５０２の箇所が当接壁部３０２２に当接することで形成されるようにした。
したがって、本体板部２５０２の第１の傾斜状態、第２の傾斜状態を確実に保持でき、遊技媒体回収機構による遊技媒体Ｍの回収動作を確実に行う上で有利となる。
【００５１】
また、第２の実施の形態によれば、排出用開口２２が、回収受け皿２０が位置する回収コンベア部分１６Ａの長手方向と直交する方向で回収コンベア部分１６Ａから離れた方向に遊技媒体Ｍを排出するように形成されている。
したがって、遊技媒体溜め部５６に溜められた遊技媒体Ｍを回収する作業を容易に行うことができ遊技媒体Ｍの回収作業の効率化を図る上で有利となる。
【００５２】
なお、第２の実施の形態では、作業者が各ストッパ６０を個別に操作することでフラッパ２５を開放位置から閉塞位置に移動させ、また、作業者が各操作レバー６２を個別に操作することでフラッパ２５を閉塞位置から開放位置に移動させる場合について説明した。
しかしながら、各フラッパ２５、各ストッパ６０の動作を、電磁ソレノイドやモータなどのアクチュエータを用いて個別に行なうようにしてもよく、一斉に行うようにしてもよい。
すなわち、フラッパ２５を閉塞位置に向けて付勢するフラッパ用付勢手段を設けると共に、各ストッパ６０毎に、各操作レバー６２毎に、各ストッパ６０、各操作レバー６２を揺動操作するアクチュエータを設け、各アクチュエータの動作を既存の制御装置によって個別に制御し、あるいは、各アクチュエータの全体を一斉に制御することで、迅速かつ確実にフラッパ２５の個別の開閉、あるいは、一斉の開閉を行わせることができ、作業時間の短縮と作業の効率化を図る上で有利となる。
【００５３】
また、上述した第１、第２の実施の形態では、各台計数機付きの貸出機６が併設された遊技機４が複数直線状に並べられて遊技機列４Ａを構成しており、したがって、遊技機列４Ａが直線状に延在し、単一の回収コンベア１６が配置されている場合について説明した。
しかしながら、遊技機列が湾曲状に延在してＲ島と称される遊技島を構成する場合であっても、本発明は無論適用可能である。
【００５４】
遊技機列が湾曲状に延在している場合は、複数の直線状の回収コンベア１６が湾曲状に配置されて接続されている。
例えば、複数の回収コンベア１６のうち何れかの回収コンベア１６が異常により停止したものとする。
この場合は、複数の回収コンベア１６のうち、遊技媒体Ｍの搬送方向において異常停止した回収コンベア１６よりも下流側に位置する回収コンベア１６は停止する必要がない。そのため、異常停止した回収コンベア１６よりも下流側に位置する回収コンベア１６に対応する各台計数機８（遊技媒体使用機器）の回収受け皿２０のフラッパ２５は開放位置のままでよい。
【００５５】
一方、複数の回収コンベア１６のうち、遊技媒体Ｍの搬送方向において異常停止した回収コンベア１６よりも上流側に位置する回収コンベア１６は、異常停止した回収コンベア１６と共に停止させなくてはならない。そうしないと、遊技媒体Ｍが異常停止した回収コンベア１６の手前で溢れてしまうためである。
【００５６】
したがって、この場合、複数の回収コンベア１６のうち、異常停止した回収コンベア１６と、遊技媒体Ｍの搬送方向において上記回収コンベア１６よりも上流側に位置する回収コンベア１６に対応する各台計数機８（遊技媒体使用機器）の回収受け皿２０のフラッパ２４、２５のみを閉塞位置に移動して、異常停止した回収コンベア１６への遊技媒体Ｍの排出を不能とすればよい。
すなわち、異常停止した回収コンベア１６およびその上流側に位置する回収コンベア１６の各遊技媒体回収機構１０のフラッパ２４、２５を閉塞位置に移動させればよい。
【００５７】
このような構成によれば、遊技島がＲ島で構成されている場合であっても、上述の実施の形態と同様の作用効果が奏されることは無論のこと、正常動作している回収コンベア１６に対応する回収受け皿２０については遊技媒体Ｍが溜め込まれない。
そのため、正常動作している回収コンベア１６に対応する回収受け皿２０については、移動式タンク５２への遊技媒体Ｍの回収作業が不要となり、作業の合理化を図る上で有利となる。
【符号の説明】
【００５８】
４  遊技機（媒体使用機器）
６  貸出機（媒体使用機器）
８  各台計数機（媒体使用機器）
１０  遊技媒体回収機構
１６  回収コンベア
２０  回収受け皿
２２  排出用開口
２４  フラッパ
２５  フラッパ
２５０２  本体板部
２８  シャッター
３０  胴部
３０Ｂ  排出口
３００２  前壁（一対の壁部）
３００２Ａ  傾斜面
３００４  後壁（一対の壁部）
３００４Ａ  開口
３０２２  当接壁部
３４  フラッパ用付勢手段
３６  ロック手段
３８  ロック解除手段
４６  ロッド
４８  シャッター用付勢手段
５５  フラッパ上空間部
５６  遊技媒体溜め部
６０  ストッパ
Ｍ  遊技媒体
【図１】
2015226619.tif 000003
【図２】
2015226619.tif 000004
【図３】
2015226619.tif 000005
【図４】
2015226619.tif 000006
【図５】
2015226619.tif 000007
【図６】
2015226619.tif 000008
【図７】
2015226619.tif 000009
【図８】
2015226619.tif 000010
【図９】
2015226619.tif 000011
【図１０】
2015226619.tif 000012
【図１１】
2015226619.tif 000013
【図１２】
2015226619.tif 000014
【図１３】
2015226619.tif 000015
【図１４】
2015226619.tif 000016
【図１５】
2015226619.tif 000017
【図１６】
2015226619.tif 000018
【図１７】
2015226619.tif 000019